(57)【要約】      （修正有）【課題】負荷時タップ切換器を高さ方向に取り出すことなく保守、点検、部品交換などを可能にするガス絶縁変圧器を提供する。【解決手段】ガス絶縁変圧器１は、絶縁媒体８が封入され、側面に開口部２１が設けられたタンク２と、前記タンク内に収納された鉄心３１と、前記鉄心の主脚に巻回された巻線３２と、切換開閉器４２が収納された切換開閉器室４１が前記タンクの底面と平行に配置され、前記開口部から前記切換開閉器室の一端が前記タンクの外部に突出する負荷時タップ切換器４とを有する。【選択図】図１
2014183190.tif 000002
【特許請求の範囲】
【請求項１】
絶縁媒体が封入され、側面に開口部が設けられたタンクと、
前記タンク内に収納された鉄心と、
前記鉄心の主脚に巻回された巻線と、
切換開閉器が収納された切換開閉器室が前記タンクの底面と平行に配置され、前記開口部から前記切換開閉器室の一端が前記タンクの外部に突出する負荷時タップ切換器と
を有するガス絶縁変圧器。
【請求項２】
前記切換開閉器室が前記タンクの底面に接する請求項１に記載のガス絶縁変圧器。
【請求項３】
前記タンクの前記側面に、水平方向に移動可能な運搬装置を有する請求項１または請求項２に記載のガス絶縁変圧器。
【発明の詳細な説明】
【技術分野】
【０００１】
本発明の実施形態は、ガス絶縁変圧器に関する。
【背景技術】
【０００２】
近年、都市部の地下変電所や洋上変電所など広い設置スペースを確保できないところでは、安全性やコンパクト性に優れるガス絶縁変圧器が多く適用されており、電力用のガス絶縁変圧器においては、タンク内に電圧調整用の負荷時タップ切換器を備えている場合が多い。
【０００３】
このような負荷時タップ切換器はタップ選択器と切換開閉器を含む構成であり、切換開閉器の部品の保守、点検、ダイバータースイッチなどの部品の交換などを行う場合、切換開閉器をタンクの外部に取り出して作業を行う必要がある。
【０００４】
従来のガス絶縁変圧器では、ガス絶縁変圧器が設置される建屋の天井にレールが設けられ、レールに取り付けられたチェーンブロック等を用いて、切換開閉器がタンクの外部に取り出されて保守、点検、部品の交換などの作業が行われる。
【０００５】
そのため、タンクの上面と建屋の天井との間には、切換開閉器を取り出すための空間が必要であり、切換開閉器の保守、点検、部品交換などといった作業時以外は使用されない空間のために建屋自体を高くしなければならない。
【０００６】
特に地下変電所にこのようなガス絶縁変圧器を設置する場合は、地下の堀削深さが大きくなり、建設コストが増加する。
【先行技術文献】
【特許文献】
【０００７】
【特許文献１】特開平４−３３２１０９号公報
【発明の概要】
【発明が解決しようとする課題】
【０００８】
そこで、本発明の実施形態はこれらの課題を解決するために、負荷時タップ切換器を高さ方向に取り出すことなく保守、点検、部品交換などを可能にするガス絶縁変圧器を提供するものである。
【課題を解決するための手段】
【０００９】
上記課題を達成するために、実施形態のガス絶縁変圧器は、絶縁媒体が封入され、側面に開口部が設けられたタンクと、前記タンク内に収納された鉄心と、前記鉄心の主脚に巻回された巻線と、切換開閉器が収納された切換開閉器室が前記タンクの底面と平行に配置され、前記開口部から前記切換開閉器室の一端が前記タンクの外部に突出する負荷時タップ切換器とを有する。
【図面の簡単な説明】
【００１０】
【図１】本実施形態に係るガス絶縁変圧器と周辺設備の構成を示す透過正面図。
【発明を実施するための形態】
【００１１】
以下、実施形態について図面を用いて説明する。
【００１２】
（実施形態）
図１は本実施形態に係るガス絶縁変圧器と周辺設備の構成を示す透過正面図である。
【００１３】
図１に示すように、本実施形態に係るガス絶縁変圧器１は、タンク２、変圧器中身３、負荷時タップ切換器４、電動操作機構５、運搬装置６を有する構成である。
【００１４】
ガス絶縁変圧器１は建屋７内に、タンク２の底部と建屋７の床７１とが平行に配置される。
【００１５】
変圧器中身３は、鉄心３１と、この鉄心３１の主脚に巻き回された巻線３２を有する。負荷時タップ切換器４は、切換開閉器室４１の中に収納された切換開閉器４２と、タップ選択器室４３内に収納されたタップ選択器４４を有する。
【００１６】
タンク２内には絶縁媒体８が封入され、変圧器中身３および負荷時タップ切換器４が絶縁媒体８とともにタンク２内に収納される。絶縁媒体８の一例としてＳＦ６（六フッ化硫黄）ガスが挙げられる。
【００１７】
電動操作機構５は、タンク２の外部に取り付けられ、切換開閉器室４１を介して切換開閉器４２に接続されており、電動操作機構５により負荷時タップ切換器４が操作される。
【００１８】
なお、負荷時タップ切換器４は、電動操作機構５により操作されるだけでなく監視室等から遠隔操作されてもよい。
【００１９】
切換開閉器室４１は、タンク２の底面に平行かつ、タンク２の底面に接するように配置される。
【００２０】
タンク２の側面には開口部２１が設けられ、切換開閉器室４１の一端は開口部２１からタンク２の外部に突出する。切換開閉器室４１の他端にはタップ選択器室４３が連結して設けられる。
【００２１】
開口部２１を有するタンク２の側面には、水平方向に移動可能な運搬装置６が取り付けられ、運搬装置６のタンク２側面と反対側の面に、ばね６１が取り付けられる。
【００２２】
このように構成される本実施形態のガス絶縁変圧器１における切換開閉器４２の部品交換作業について説明する。
【００２３】
交換に必要な部品を建屋７内に運搬しておき、切換開閉器室４１から運搬装置６を用いて切換開閉器４２をタンク２外部に引き出し、ダイバータースイッチ等の部品の交換を行う。部品の交換後、再び運搬装置６に切換開閉器４２を載せ、運搬装置６に取り付けられたばね６１のばね力により、切換開閉器４２を切換開閉器室４１内に押し込み、切換開閉器室４１内に取り付けることで切換開閉器４２の部品交換作業が終了する。
【００２４】
なお、切換開閉器４２の保守、点検作業についても同様である。
【００２５】
以上説明したように、本実施形態に係るガス絶縁変圧器１は、切換開閉器４２が収納された切換開閉器室４１が、タンク２の底面と平行に、かつタンク２の底面と接するように配置される。また、タンク２の開口部２１から切換開閉器室４１の一端がタンク２の外部に突出する。
【００２６】
そのため、切換開閉器４２をタンク２の底面と平行な方向に取り出して、保守、点検、部品交換などを行うことができる。
【００２７】
すなわち、従来のように高さ方向に切換開閉器４２を取り出すことなく保守、点検、部品交換などが可能であるため、タンク２の上面と建屋７の天井との間に、切換開閉器４２を取り出すための空間を設ける必要がない。このことにより、建屋７の高さを低くすることができ、設置スペースの小さいところにも設けることが可能となる。建屋７の高さを低くできることにより、特に地下変電所の場合では堀削深さの抑制が可能となり、建設コストの削減に繋がる。
【００２８】
また、運搬装置６のタンク２側面と反対側の面に、ばね６１が設けられることにより、保守、点検、部品交換後に切換開閉器４２を切換開閉器室４１内に収納する作業が容易になる。
【００２９】
なお、運搬装置６にハンドルを設け、そのハンドルを回すことにより切換開閉器４２を切換開閉器室４１内に収納する、あるいは切換開閉器４２を切換開閉器室４１から取り出すことができる構成としてもよい。
【００３０】
そのように構成することで、容易に切換開閉器４２を切換開閉器室４１内外に出し入れすることができる。
【００３１】
また、運搬装置６のタンク２側面と反対側の面にフック等を取り付けてもよい。そのように構成することで、フックに切換開閉器４２を取り付けてタンク２外部に引き出すことが可能となり、引き出し作業を安全かつ容易に行うことができる。
【００３２】
本実施形態において、切換開閉器室４１は一端を除いてタンク２内に収納されているが、切換開閉器室４１は絶縁媒体３の温度の低いタンク２の下部に配置されるため、切換開閉器４２の周囲温度の上昇が抑制される。また、切換開閉器室４１とタンク２内の絶縁媒体３との間に断熱材を介在させてもよい。このように構成することで、より切換開閉器４２の周囲温度の上昇を抑制することができる。
【００３３】
なお、本実施形態において切換開閉器室４１は、タンク２の底面と平行に、かつタンク２の底面と接するように配置されることが好ましいが、タンク２の底面と平行であればタンク２の上部等に設けられてもよい。その場合、運搬装置６をタンク２の側面の切換開閉器室４１に対応する位置に設けることで、高さ方向に切換開閉器４２を取り出すことなく保守、点検、部品交換などを行うことが可能となる。
【００３４】
本実施形態は、例として提示したものであり、発明の範囲を限定することは意図していない。本実施形態は、その他の様々な形態で実施されることが可能であり、発明の要旨を逸脱しない範囲で、種々の省略、置き換え、変更を行うことができる。本実施形態やその変形は、発明の範囲や要旨に含まれると同様に、特許請求の範囲に記載された発明とその均等の範囲に含まれる。
【符号の説明】
【００３５】
１…ガス絶縁変圧器
２…タンク
３…変圧器中身
４…負荷時タップ切換器
５…電動操作機構
６…運搬装置
７…建屋
８…絶縁媒体
２１…開口部
３１…鉄心
３２…巻線
４１…切換開閉器室
４２…切換開閉器
４３…タップ選択器室
４４…タップ選択器
６１…ばね
７１…床
【図１】
2014183190.tif 000003